(57)【要約】【課題】本発明は、購入された商品の収容を補助することを課題とする。【解決手段】上記課題を解決するため、本発明は、購入された商品を収容する容器の種類を判別する判別部１１と、判別部１１により判別された容器の種類に応じた商品の収容方法を出力する出力部１２と、を有する処理装置１０を提供する。【選択図】図２
2019113910.tif 000002
【特許請求の範囲】
【請求項１】
購入された商品を収容する容器の種類を判別する判別手段と、
前記判別手段により判別された前記容器の種類に応じた商品の収容方法を出力する出力手段と、
を有する処理装置。
【請求項２】
請求項１に記載の処理装置において、
購入対象の商品を識別する商品識別情報を取得する商品識別情報取得手段と、
前記商品識別情報を取得された商品を、前記判別手段により判別された種類の前記容器に収容する場合の推奨収容方法を示す推奨情報を取得する推奨情報取得手段と、
をさらに有し、
前記出力手段は、前記推奨情報を出力する処理装置。
【請求項３】
請求項１又は２に記載の処理装置において、
第１の商品を第１の容器に収容する順番と、前記第１の商品を第２の容器に収容する順番とは異なる処理装置。
【請求項４】
請求項１から３のいずれか１項に記載の処理装置において、
第１の容器に第２の商品を収容する個数の上限と、第２の容器に前記第２の商品を収容する個数の上限とは異なる処理装置。
【請求項５】
請求項１から４のいずれか１項に記載の処理装置において、
前記判別手段は、前記容器の種類としてカゴ及び袋を判別する処理装置。
【請求項６】
コンピュータが、
購入された商品を収容する容器の種類を判別する判別工程と、
前記判別工程で判別された前記容器の種類に応じた商品の収容方法を出力する出力工程と、
を実行する処理方法。
【請求項７】
コンピュータを、
購入された商品を収容する容器の種類を判別する判別手段、
前記判別手段により判別された前記容器の種類に応じた商品の収容方法を出力する出力手段、
として機能させるプログラム。
【発明の詳細な説明】
【技術分野】
【０００１】
本発明は、処理装置、処理方法及びプログラムに関する。
【背景技術】
【０００２】
特許文献１は、画像を表示する表示手段と、商品に関する情報を入力する入力手段と、入力手段で入力された情報に対応する商品の収納体への詰め方をガイダンスする画像を、表示手段に表示させるガイダンス手段と、と有する会計処理装置を開示している。
【先行技術文献】
【特許文献】
【０００３】
【特許文献１】特開２０１３−１４９００９号公報
【発明の概要】
【発明が解決しようとする課題】
【０００４】
商品を収容する容器は、カゴ、袋等様々である。商品の品質を保つためには、容器の属性に応じた適切な収容が望まれる。しかし、容器のバリエーションが増え、収容の仕方のバリエーションも増えると、それを把握し、適切に収容するのが難しくなる。本発明は、商品の収容を補助することを課題とする。
【課題を解決するための手段】
【０００５】
本発明によれば、
購入された商品を収容する容器の種類を判別する判別手段と、
前記判別手段により判別された前記容器の種類に応じた商品の収容方法を出力する出力手段と、
を有する処理装置が提供される。
【０００６】
また、本発明によれば、
コンピュータが、
購入された商品を収容する容器の種類を判別する判別工程と、
前記判別工程で判別された前記容器の種類に応じた商品の収容方法を出力する出力工程と、
を実行する処理方法が提供される。
【０００７】
また、本発明によれば、
コンピュータを、
購入された商品を収容する容器の種類を判別する判別手段、
前記判別手段により判別された前記容器の種類に応じた商品の収容方法を出力する出力手段、
として機能させるプログラムが提供される。
【発明の効果】
【０００８】
本発明によれば、商品の収容を補助することができる。
【図面の簡単な説明】
【０００９】
【図１】本実施形態の処理装置のハードウエア構成の一例を示す図である。
【図２】本実施形態の処理装置の機能ブロック図の一例を示す図である。
【図３】本実施形態の処理装置により出力される情報の一例を模式的に示す図である。
【図４】本実施形態の処理装置の処理の流れの一例を示すフローチャートである。
【図５】本実施形態の処理装置の機能ブロック図の一例を示す図である。
【図６】本実施形態の処理装置が処理する情報の一例を模式的に示す図である。
【図７】本実施形態の処理装置が処理する情報の一例を模式的に示す図である。
【図８】本実施形態の処理装置により出力される情報の一例を模式的に示す図である。
【図９】本実施形態の処理装置の処理の流れの一例を示すフローチャートである。
【発明を実施するための形態】
【００１０】
＜第１の実施形態＞
まず、本実施形態の処理装置の概要を説明する。処理装置は、購入された商品を収容する容器（以下、「商品収容容器」）の種類を判別し、判別した商品収容容器の種類に応じた商品の収容方法を出力する。
【００１１】
このような処理装置は、例えばレジカウンターに設置される。そして、購入対象の商品を識別する商品識別情報を登録し、登録し終えた商品を商品収容容器に収容する作業を行う作業者（以下、「作業者」）に向けて、商品の収容方法を出力する。処理装置は、例えば、ＰＯＳ（point of sales）レジスター、タブレット端末、スマートフォン、又は、その他の専用端末である。作業者は、例えば店員や顧客である。処理装置により出力された情報を参照することで、作業者は、商品収容容器の種類に応じた適切な収容方法で、商品を収容することができる。
【００１２】
次に、本実施形態の処理装置の構成を詳細に説明する。まず、処理装置のハードウエア構成の一例について説明する。処理装置が備える機能は、任意のコンピュータのＣＰＵ（Central Processing Unit）、メモリ、メモリにロードされるプログラム、そのプログラムを格納するハードディスク等の記憶ユニット（あらかじめ装置を出荷する段階から格納されているプログラムのほか、ＣＤ（Compact Disc）等の記憶媒体やインターネット上のサーバ等からダウンロードされたプログラムをも格納できる）、ネットワーク接続用インターフェイスを中心にハードウエアとソフトウエアの任意の組合せによって実現される。そして、その実現方法、装置にはいろいろな変形例があることは、当業者には理解されるところである。
【００１３】
図１は、処理装置のハードウエア構成を例示するブロック図である。図１に示すように、処理装置は、プロセッサ１Ａ、メモリ２Ａ、入出力インターフェイス３Ａ、周辺回路４Ａ、バス５Ａを有する。周辺回路４Ａには、様々なモジュールが含まれる。なお、周辺回路４Ａを有さなくてもよい。
【００１４】
バス５Ａは、プロセッサ１Ａ、メモリ２Ａ、周辺回路４Ａ及び入出力インターフェイス３Ａが相互にデータを送受信するためのデータ伝送路である。プロセッサ１Ａは、例えばＣＰＵ（Central Processing Unit） やＧＰＵ（Graphics Processing Unit）などの演算処理装置である。メモリ２Ａは、例えばＲＡＭ（Random Access Memory）やＲＯＭ（Read Only Memory）などのメモリである。入出力インターフェイス３Ａは、入力装置（例：キーボード、マウス、マイク等）、外部装置、外部サーバ、外部センサー等から情報を取得するためのインターフェイスや、出力装置（例：ディスプレイ、スピーカ、プリンター、メーラ等）、外部装置、外部サーバ等に情報を出力するためのインターフェイスなどを含む。プロセッサ１Ａは、各モジュールに指令を出し、それらの演算結果をもとに演算を行うことができる。
【００１５】
図２に、処理装置１０の機能ブロック図の一例を示す。図示するように、処理装置１０は、判別部１１と、出力部１２とを有する。
【００１６】
判別部１１は、商品収容容器の種類を判別する。例えば、作業員が、商品収容容器の種類を処理装置１０に入力してもよい。そして、判別部１１は、作業員の入力内容に基づき、商品収容容器の種類を判別してもよい。その他、商品収容容器を置く位置を撮影するカメラが設けられてもよい。そして、判別部１１は、当該カメラにより生成された画像ファイルを解析することで、商品収容容器の種類を判別してもよい。
【００１７】
収容容器の種類としては、カゴ及び袋が例示される。なお、カゴ及び袋各々は、形状や大きさに応じて複数種類に分類されてもよい。
【００１８】
出力部１２は、判別部１１により判別された商品収容容器の種類に応じた商品の収容方法を出力する。予め、商品収容容器の種類ごとに商品の収容方法を示した情報が記憶手段に記憶されていてもよい。そして、出力部１２は、判別部１１により判別された商品収容容器の種類に対応した収容方法を記憶手段から取り出し、出力してもよい。
【００１９】
出力方法は、ディスプレイへの表示、投影装置を用いた任意の位置への投影等が例示されるが、これらに限定されない。処理装置１０が上記記憶手段を有してもよいし、処理装置１０と通信可能に構成された外部装置が上記記憶手段を有してもよい。
【００２０】
図３に、出力部１２により出力された情報の一例を示す。図示する例では、購入対象の商品を識別する商品識別情報を登録する作業（以下、「登録作業」）に関する情報を表示する画面に、判別部１１により判別された商品収容容器の種類に対応した収容方法が表示されている。
【００２１】
当該画面では、登録作業に関する情報として、購入対象として登録された商品の明細（商品名、単価、数量、全額）の一覧や、各種操作ボタン（中止ボタン、会計ボタン）、各種算出結果（預かり金額、釣銭、税額、合計）が示されている。そして、当該画面の上方に、判別部１１により判別された商品収容容器の種類を示す情報、及び、それに対応した収容方法が表示されている。
【００２２】
なお、登録作業に関する情報を表示する画面とは異なる画面に、収容方法を表示してもよい。
【００２３】
次に、図４のフローチャートを用いて、処理装置１０の処理の流れの一例を説明する。
【００２４】
まず、判別部１１は、購入された商品を収容する商品収容容器の種類を判別する（Ｓ１０）。その後、出力部１２は、Ｓ１０で判別された商品収容容器の種類に応じた商品の収容方法を出力する（Ｓ１１）。
【００２５】
以上説明した処理装置１０によれば、商品収容容器の種類に応じた商品の収容方法を、作業者に向けて出力することができる。処理装置１０により出力された情報を参照することで、作業者は、商品収容容器の種類に応じた適切な収容方法で、商品を収容することができる。
【００２６】
＜第２の実施形態＞
本実施形態の処理装置１０は、商品収容容器を判別するとともに、商品識別情報を登録された商品を特定し、当該商品を当該商品収容容器に収容する方法を作業者に向けて出力する。本実施形態の処理装置１０によれば、出力する情報を必要なものに絞り込むことができる。
【００２７】
本実施形態の処理装置１０のハードウエア構成は、第１の実施形態と同様である。
【００２８】
図５に、本実施形態の処理装置１０の機能ブロック図の一例を示す。図示するように、処理装置１０は、判別部１１と、出力部１２と、商品識別情報取得部１３と、推奨情報取得部１４とを有する。判別部１１の機能構成は、第１の実施形態と同様である。
【００２９】
商品識別情報取得部１３は、購入対象の商品を識別する商品識別情報を取得する。作業者は、商品に付された商品識別情報を含むコード（例：バーコード）をリーダで読み取らせる作業や、物理ボタンやタッチパネルディスプレイに対する入力操作により、購入対象の商品を識別する商品識別情報をＰＯＳレジスターに登録する。商品識別情報取得部１３は、ＰＯＳレジスターに登録された商品識別情報を取得する。商品識別情報取得部１３は、ＰＯＳレジスターに商品識別情報が登録されると、その都度、登録された商品識別情報を取得することができる。
【００３０】
推奨情報取得部１４は、商品識別情報を取得された商品（以下、「登録商品」）を、判別部１１により判別された種類の商品収容容器に収容する場合の推奨収容方法を示す推奨情報を取得する。
【００３１】
例えば、同じ収容方法が推奨される商品をグループ化し、グループ毎に、各種商品収容容器における推奨収容方法を予め記憶手段に記憶しておいてもよい。そして、推奨情報取得部１４は、判別部１１により判別された商品収容容器の種類、及び、商品識別情報取得部１３により取得された商品識別情報に対応する推奨収容方法を記憶手段から取得してもよい。処理装置１０が当該記憶手段を有してもよいし、処理装置１０と通信可能に構成された外部装置が当該記憶手段を有してもよい。
【００３２】
記憶手段には、例えば図６に示すように、商品識別情報とグループ番号とを対応付けた情報が記憶されてもよい。また、記憶手段には、例えば図７に示すように、グループ及び商品収容容器の種類ごとに、推奨収容方法を示した推奨情報が記憶されてもよい。推奨情報取得部１４は、図６に示す情報を参照することで、各商品がどのグループに属するか判断することができる。そして、推奨情報取得部１４は、図７に示す情報を参照することで、所定のグループ及び所定の商品収容容器の種類に対応した推奨情報を取得することができる。
【００３３】
図７に示すように、推奨情報では商品の収容順が示されてもよい。そして、第１のグループの商品を第１の容器に収容する順番と、第１のグループの商品を第２の容器に収容する順番とは異なってもよい。また、推奨情報では、商品の積み重ね方が示されてもよい。
【００３４】
例えば、第１のグループの商品は、「傾けること」、及び、「つぶれること」が好ましくない商品（例：弁当、総菜、ケーキ等）であってもよい。そして、このような商品を袋に収容する際の推奨情報は、図示するように、「最初に入れる、上に軽いものを置く」であってもよい。一方、このような商品をカゴに収容する際の推奨情報は、図示するように、「最後に入れる、変形しない物の上に置く」であってもよい。
【００３５】
袋の場合、積み重ねた商品の山が崩れる場合がある。山の上の方に置かれた商品は、商品の山の崩れに応じて傾く恐れがある。このため、袋の場合、傾けることが好ましくない商品は最初に入れ、山の下の方に位置させる。これにより、その商品が傾く不都合を回避する。そして、その上に軽いものを置くことで、その商品がつぶれる不都合を回避する。
【００３６】
一方、カゴはその形が固まっているので、カゴにより保持される形となり、積み重ねた商品の山が崩れる可能性が小さい。このため、カゴの場合、傾けることが好ましくない商品は最後に入れ、山の上の方に位置させる。これにより、その商品がつぶれる不都合を回避する。そして、変形しない物の上にその商品を置くことで、その商品が傾く不都合を回避する。変形しない物の中には、飲料缶の６本セット等、比較的重いものが含まれる。当該推奨情報によれば、このような比較的重い商品をカゴに収容することができる。
【００３７】
また、図７に示すように、推奨情報では商品を収容する個数の上限が示されてもよい。そして、第１の容器に第２のグループの商品を収容する個数の上限と、第２の容器に第２のグループの商品を収容する個数の上限とは異なってもよい。一般的に、カゴの方が袋よりも強度が強い。このため、袋よりもカゴの方が、収容する総重量を大きくすることができる。なお、商品のグループは、３５０ｍｌ缶、５００ｍｌ缶、３５０ｍｌ缶×６本セット、５００ｍｌ缶×６本セット等のように、重量が異なる商品種ごとに設けられてもよい。
【００３８】
その他、図示しないが、温かい商品のグループの推奨情報として、冷たいものから離して収容すること、温かいもの同士でまとめて収容することが示されてもよい。また、冷たい商品のグループの推奨情報として、温かいものから離して収容すること、冷たいもの同士でまとめて収容することが示されてもよい。また、壊れやすい商品のグループの推奨情報として、最後に入れることが示されてもよい。また、柔らかい商品のグループの推奨情報として、最後に入れることが示されてもよい。また、柔らかい商品のグループの推奨情報として、最後に入れることが示されてもよい。
【００３９】
なお、１つの商品識別情報に対応して複数のグループ番号が登録されてもよい。すなわち、複数のグループに属する商品が存在してもよい。
【００４０】
また、すべての商品がいずれかのグループに属してもよいし、いずれのグループにも属さない商品が存在してもよい。例えば、収容の仕方に特に留意点がない商品は、いずれのグループにも属さないこととなる。
【００４１】
図５に戻り、出力部１２は、推奨情報取得部１４により取得された推奨情報を出力する。出力方法は、ディスプレイへの表示、投影装置を用いた任意の位置への投影等が例示されるが、これらに限定されない。
【００４２】
図８に、出力部１２により出力された情報の一例を示す。図示する例では、購入対象の商品を識別する商品識別情報を登録する登録作業に関する情報を表示する画面に、判別部１１により判別された商品収容容器の種類、及び、商品識別情報取得部１３により取得された商品識別情報に対応した収容方法が表示されている。
【００４３】
図では、２つの推奨情報（推奨情報Ａ及びＢ）が示されている。各推奨情報は登録された商品各々に対応して表示される。図示する例の場合、推奨情報の左上の番号と、商品明細の番号とが対応している。すなわち、推奨情報Ａはバナナに対応する推奨情報であり、推奨情報Ｂはハンバーグ弁当に対応する推奨情報である。
【００４４】
図示するように、複数の推奨情報が同時に表示されてもよい。そして、複数の推奨情報は、ユーザ操作に応じて個別に画面から削除できてもよい。例えば、１つの推奨情報に対する所定の操作に応じて（例：１つの推奨情報をタッチする操作）、その推奨情報が画面から削除されてもよい。かかる場合、各推奨情報は、作業者が希望するタイミングまで画面に表示される。例えば、最後に入れることが推奨される商品の推奨情報を最後まで残しておくことができる。
【００４５】
なお、図示しないが、商品の登録順に、各商品に対応する推奨情報が順次画面に表示されてもよい。そして、表示された推奨情報は一定時間経過すると画面から削除されてもよい。
【００４６】
次に、図９のフローチャートを用いて、処理装置１０の処理の流れの一例を説明する。
【００４７】
まず、判別部１１は、購入された商品を収容する商品収容容器の種類を判別する（Ｓ２０）。その後、商品識別情報取得部１３により商品識別情報が取得されると（Ｓ２１）、推奨情報取得部１４は、Ｓ２２で判別された商品収容容器の種類、及び、Ｓ２１で取得された商品識別情報に対応した推奨収容方法を示す推奨情報を取得する（Ｓ２２）。そして、出力部１２は、Ｓ２２で取得された推奨情報を出力する（Ｓ２３）。
【００４８】
ＰＯＳレジスターに商品識別情報が登録されると、それに応じて、商品識別情報取得部１３は商品識別情報を取得し、出力部１２はその商品識別情報に対応する推奨情報を出力することができる。すなわち、１つの商品識別情報が登録されると、そのタイミングで、その商品識別情報に対応する推奨情報が出力されてもよい。
【００４９】
以降、推奨情報を出力する処理を終了する入力がない間（Ｓ２４のＮｏ）、当該処理を繰り返す。
【００５０】
推奨情報を出力する処理を終了する入力は、例えば、中止する入力、精算処理に進む入力などである。中止する入力があった場合、それまでに登録された商品識別情報がクリアされる。精算処理に進む入力があった場合、支払金額の合計を算出して出力したりする。
【００５１】
以上説明した処理装置１０によれば、第１の実施形態と同様の作用効果を実現できる。また、本実施形態の処理装置１０によれば、登録された商品を、判別された種類の商品収容容器に収容する収容方法に絞り込んで、情報を出力することができる。一度に出力される情報量が多い場合、作業者はそれを確認せず、流してしまう可能性がある。本実施形態のように出力する情報をその時に必要な情報に絞り込むことで、作業者がその情報を確認する可能性を高めることができる。
【００５２】
＜第３の実施形態＞
商品識別情報を登録する登録装置と、精算を行う精算装置とが別々に設けられたセミセルフ式のＰＯＳシステムがある。一般的に、店員が登録装置を操作して登録作業を行う。そして、登録作業が完了すると、登録装置から精算装置に支払情報（支払金額合計、登録された商品識別情報等）が送信される。その後、顧客が精算装置を操作して支払作業を行う。
【００５３】
本実施形態の処理装置１０は、上記セミセルフ式のＰＯＳシステムにおける精算装置である。すなわち、当該精算装置が、第１及び第２の実施形態で説明した推奨情報を出力する。
【００５４】
本実施形態の処理装置１０のハードウエア構成は、第１及び第２の実施形態と同様である。
【００５５】
本実施形態の処理装置１０の機能ブロック図の一例は、図２又は図５で示される。すなわち、処理装置１０は、判別部１１と、出力部１２とを有する。処理装置１０は、さらに、商品識別情報取得部１３と、推奨情報取得部１４とを有してもよい。
【００５６】
判別部１１は、ユーザ入力に基づき容器の種類を判別してもよい。例えば、顧客が、精算装置（処理装置１０）に、容器の種類を入力してもよい。その他、店員が、登録装置に、容器の種類を入力してもよい。そして、登録装置は、入力された容器の種類を示す情報を処理装置１０に送信してもよい。判別部１１のその他の構成は、第１及び第２の実施形態と同様である。
【００５７】
商品識別情報取得部１３は、登録装置から受信した支払情報の中から、購入対象の商品を識別する商品識別情報を取得してもよい。商品識別情報取得部１３のその他の構成は、第２の実施形態と同様である。
【００５８】
推奨情報取得部１４は、第２の実施形態と同様にして、推奨情報を取得する。なお、推奨情報取得部１４は、購入対象の商品、及び、各商品の推奨情報に基づき、各商品の収容順を決定してもよい。そして、収容順を示す情報を推奨情報に含めてもよい。例えば、最初に入れることが望まれる商品は、最後に入れることが望まれる商品よりも先の収容順となる。推奨情報取得部１４は、例えば、「商品Ａ、Ｂ、Ｃを入れた後、商品Ｃ、Ｄ、Ｅを入れる」というような推奨情報を生成してもよい。
【００５９】
その他、推奨情報取得部１４は、購入対象の商品、及び、各商品の推奨情報に基づき、各商品の積層順を決定してもよい。そして、積層順を示す情報を推奨情報に含めてもよい。例えば、購入対象の商品の中に「上に軽いものを置くことが望まれる商品」がある場合、その商品の上に、購入対象の商品の中の「重さが基準値以下の商品」を積層することを決定してもよい。推奨情報取得部１４は、例えば、「商品Ａの上に商品Ｂを置く」というような推奨情報を生成してもよい。この場合、予め各商品の重さを示す情報が予めサーバに登録されており、処理装置１０は当該情報を積層順の決定に利用してもよい。
【００６０】
また、購入対象の商品の中に「変形しないものの上に置くことが望まれる商品」がある場合、その商品を、購入対象の商品の中の「変形しない商品」の上に積層することを決定してもよい。推奨情報取得部１４は、例えば、「商品Ｃを商品Ｄの上に置く」というような推奨情報を生成してもよい。この場合、どの商品が「変形しない商品」に該当するかを示す情報が予めサーバに登録されており、処理装置１０は当該情報を積層順の決定に利用してもよい。
【００６１】
出力部１２は、上述のように推奨情報取得部１４が生成した推奨情報を出力する。出力部１２は、第１及び第２の実施形態と同様な推奨情報を出力できてもよい。
【００６２】
以上説明した処理装置１０によれば、第１及び第２の実施形態と同様の作用効果を実現できる。また、本実施形態の処理装置１０は、セミセルフ式のＰＯＳシステムにも適用できる。
【００６３】
また、本実施形態の場合、購入対象の商品の登録が終わった後に推奨情報を出力することになるので、第１及び第２の実施形態と異なる推奨情報をさらに出力することができる。例えば、推奨情報を出力する前に収容するすべての商品が決定されるので、収容順や積層順を決定し、出力することができる。結果、より具体化された収容方法を提供することができる。
【００６４】
以下、参考形態の例を付記する。
１．  購入された商品を収容する容器の種類を判別する判別手段と、
前記判別手段により判別された前記容器の種類に応じた商品の収容方法を出力する出力手段と、
を有する処理装置。
２．  １に記載の処理装置において、
購入対象の商品を識別する商品識別情報を取得する商品識別情報取得手段と、
前記商品識別情報を取得された商品を、前記判別手段により判別された種類の前記容器に収容する場合の推奨収容方法を示す推奨情報を取得する推奨情報取得手段と、
をさらに有し、
前記出力手段は、前記推奨情報を出力する処理装置。
３．  １又は２に記載の処理装置において、
第１の商品を第１の容器に収容する順番と、前記第１の商品を第２の容器に収容する順番とは異なる処理装置。
４．  １から３のいずれかに記載の処理装置において、
第１の容器に第２の商品を収容する個数の上限と、第２の容器に前記第２の商品を収容する個数の上限とは異なる処理装置。
５．  １から４のいずれかに記載の処理装置において、
前記判別手段は、前記容器の種類としてカゴ及び袋を判別する処理装置。
６．  コンピュータが、
購入された商品を収容する容器の種類を判別する判別工程と、
前記判別工程で判別された前記容器の種類に応じた商品の収容方法を出力する出力工程と、
を実行する処理方法。
７．  コンピュータを、
購入された商品を収容する容器の種類を判別する判別手段、
前記判別手段により判別された前記容器の種類に応じた商品の収容方法を出力する出力手段、
として機能させるプログラム。
【符号の説明】
【００６５】
１Ａ    プロセッサ
２Ａ    メモリ
３Ａ    入出力Ｉ／Ｆ
４Ａ    周辺回路
５Ａ    バス
１０    処理装置
１１    判別部
１２    出力部
１３    商品識別情報取得部
１４    推奨情報取得部
【図１】
2019113910.tif 000003
【図２】
2019113910.tif 000004
【図３】
2019113910.tif 000005
【図４】
2019113910.tif 000006
【図５】
2019113910.tif 000007
【図６】
2019113910.tif 000008
【図７】
2019113910.tif 000009
【図８】
2019113910.tif 000010
【図９】
2019113910.tif 000011